【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
シートのスライド移動を規制するロック機構と、操作スイッチの操作に基づいて前記ロック機構による規制及びその解除をするための駆動源とを備えた車両シート装置であって、
前記操作スイッチの操作に基づいて前記ロック機構による規制を解除する際は、前記操作スイッチの操作以外の予め設定された解除条件を満たすまで前記ロック機構による規制が行われている状態を保持するように前記駆動源を制御する制御部を備え、
前記操作スイッチは、シートバックの背面に配置された背面スイッチを含み、
前記解除条件は、前記背面スイッチを操作したときにシートに着座している搭乗者がいない場合に満たされる着座解除条件を含むことを特徴とする車両シート装置。
【請求項２】
請求項１に記載の車両シート装置において、
前記解除条件は、前記操作スイッチを操作したときに車速が０である場合に満たされる車速解除条件を含むことを特徴とする車両シート装置。
【請求項３】
請求項１又は２に記載の車両シート装置において、
前記操作スイッチは、１つの前記ロック機構に対して複数設けられ、
前記制御部は、先に操作された側の前記操作スイッチの操作に基づいて前記駆動源を制御し、その後、優先終了条件を満たすまで他の前記操作スイッチの操作を無効とすることを特徴とする車両シート装置。
【請求項４】
請求項３に記載の車両シート装置において、
前記優先終了条件は、予め設定した時間が経過した場合に満たされる時間終了条件を含むことを特徴とする車両シート装置。
【請求項５】
請求項１乃至４のいずれか１項に記載の車両シート装置において、
前記ロック機構として、前記シートの車両前後方向に沿ったスライド移動を規制するための前後ロック機構と、前記シートの車両幅方向に沿ったスライド移動を規制するための幅ロック機構とを有し、それぞれに対応した前記操作スイッチとして、前後操作スイッチと、幅操作スイッチとを有し、
前記制御部は、先に操作された側の前後操作スイッチ又は幅操作スイッチの操作に基づいて前記駆動源を制御し、その後、方向優先終了条件を満たすまで他の前記操作スイッチの操作を無効とすることを特徴とする車両シート装置。
【請求項６】
請求項５に記載の車両シート装置において、
前記駆動源は、その出力部を正方向と逆方向の２方向に駆動可能なものであり、中立位置より正方向の駆動によって前記前後ロック機構による規制を解除し、中立位置より逆方向の駆動によって前記幅ロック機構による規制を解除するように設けられたことを特徴とする車両シート装置。
【請求項７】
請求項６に記載の車両シート装置において、
前記前後ロック機構による規制が解除されたことを検知する前後解除検知手段と、
前記幅ロック機構による規制が解除されたことを検知する幅解除検知手段とを備え、
前記制御部は、前記前後解除検知手段及び前記幅解除検知手段にて同時に解除されたと検知されると、その後、前記操作スイッチの操作を無効とすることを特徴とする車両シート装置。
【請求項８】
請求項６又は７に記載の車両シート装置において、
前記前後ロック機構による規制が解除されたことを検知する前後解除検知手段と、
前記幅ロック機構による規制が解除されたことを検知する幅解除検知手段とを備え、
前記制御部は、前記前後解除検知手段及び前記幅解除検知手段にて同時に解除されたと検知されると、報知手段を報知状態に作動させてその旨を報知させることを特徴とする車両シート装置。
【手続補正２】
【補正対象書類名】明細書
【補正対象項目名】０００６
【補正方法】変更
【補正の内容】
【０００６】
上記課題を解決するために、請求項１に記載の発明では、シートのスライド移動を規制するロック機構と、操作スイッチの操作に基づいて前記ロック機構による規制及びその解除をするための駆動源とを備えた車両シート装置であって、前記操作スイッチの操作に基づいて前記ロック機構による規制を解除する際は、前記操作スイッチの操作以外の予め設定された解除条件を満たすまで前記ロック機構による規制が行われている状態を保持するように前記駆動源を制御する制御部を備え、前記操作スイッチは、シートバックの背面に配置された背面スイッチを含み、前記解除条件は、前記背面スイッチを操作したときにシートに着座している搭乗者がいない場合に満たされる着座解除条件を含むことを要旨とする。
【手続補正３】
【補正対象書類名】明細書
【補正対象項目名】０００７
【補正方法】変更
【補正の内容】
【０００７】
同構成によれば、制御部によって、操作スイッチの操作に基づいてロック機構による規制の解除を行う際は、操作スイッチの操作以外の予め設定された解除条件を満たすまでロック機構による規制が行われている状態が保持されるように駆動源が制御される。よって、例えば、操作スイッチを操作しても解除条件を満たすまでシートを自由に動かすといったことが不能となり、例えば不意にシートがスライド移動してしまうといったことを抑えることができる。
また、解除条件は、背面スイッチを操作したときにシートに着座している搭乗者がいない場合に満たされる着座解除条件を含むため、背面スイッチを操作してもシートに着座している搭乗者がいなくなるまではロック機構による規制が行われている状態が保持される。よって、例えば、背後からの背面スイッチの操作によって不意にシートがスライド移動してしまうといったことを抑えることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３に記載の発明では、請求項１又は２に記載の車両シート装置において、前記操作スイッチは、１つの前記ロック機構に対して複数設けられ、前記制御部は、先に操作された側の前記操作スイッチの操作に基づいて前記駆動源を制御し、その後、優先終了条件を満たすまで他の前記操作スイッチの操作を無効とすることを要旨とする。
【手続補正７】
【補正対象書類名】明細書
【補正対象項目名】００１４
【補正方法】変更
【補正の内容】
【００１４】
請求項４に記載の発明では、請求項３に記載の車両シート装置において、前記優先終了条件は、予め設定した時間が経過した場合に満たされる時間終了条件を含むことを要旨とする。
【手続補正８】
【補正対象書類名】明細書
【補正対象項目名】００１６
【補正方法】変更
【補正の内容】
【００１６】
請求項５に記載の発明では、請求項１乃至４のいずれか１項に記載の車両シート装置において、前記ロック機構として、前記シートの車両前後方向に沿ったスライド移動を規制するための前後ロック機構と、前記シートの車両幅方向に沿ったスライド移動を規制するための幅ロック機構とを有し、それぞれに対応した前記操作スイッチとして、前後操作スイッチと、幅操作スイッチとを有し、前記制御部は、先に操作された側の前後操作スイッチ又は幅操作スイッチの操作に基づいて前記駆動源を制御し、その後、方向優先終了条件を満たすまで他の前記操作スイッチの操作を無効とすることを要旨とする。
【手続補正９】
【補正対象書類名】明細書
【補正対象項目名】００１８
【補正方法】変更
【補正の内容】
【００１８】
請求項６に記載の発明では、請求項５に記載の車両シート装置において、前記駆動源は、その出力部を正方向と逆方向の２方向に駆動可能なものであり、中立位置より正方向の駆動によって前記前後ロック機構による規制を解除し、中立位置より逆方向の駆動によって前記幅ロック機構による規制を解除するように設けられたことを要旨とする。
【手続補正１０】
【補正対象書類名】明細書
【補正対象項目名】００２０
【補正方法】変更
【補正の内容】
【００２０】
請求項７に記載の発明では、請求項６に記載の車両シート装置において、前記前後ロック機構による規制が解除されたことを検知する前後解除検知手段と、前記幅ロック機構による規制が解除されたことを検知する幅解除検知手段とを備え、前記制御部は、前記前後解除検知手段及び前記幅解除検知手段にて同時に解除されたと検知されると、その後、前記操作スイッチの操作を無効とすることを要旨とする。
【手続補正１１】
【補正対象書類名】明細書
【補正対象項目名】００２２
【補正方法】変更
【補正の内容】
【００２２】
請求項８に記載の発明では、請求項６又は７に記載の車両シート装置において、前記前後ロック機構による規制が解除されたことを検知する前後解除検知手段と、前記幅ロック機構による規制が解除されたことを検知する幅解除検知手段とを備え、前記制御部は、前記前後解除検知手段及び前記幅解除検知手段にて同時に解除されたと検知されると、報知手段を報知状態に作動させてその旨を報知させることを要旨とする。